(57)【要約】【課題】  加熱時での不具合を防止することができる容器体を提供する。【解決手段】  内容器１１の外側に外容器１２を配置する。外容器１２の開口縁に外側へ張り出した外容器張出面３１を設け、外容器張出面３１の外縁に下方へ延出する外容器延出面３２を形成する。内容器１１の開口縁に外側へ張り出した内容器張出面５３を設け、内容器張出面５３の外縁に下方へ延出する内容器延出面５４を形成する。内容器１１と外容器１２を分離可能に嵌合し、内容器１１と外容器１２間に断熱空間６２を形成する。外容器延出面３２の一部に内側に後退した凹部８１を形成し、凹部８１と内容器延出面５４間に隙間８２を形成する。隙間８２を、内容器張出面５３と外容器張出面３１間に形成された間隙８３を介して断熱空間６２に連通する。【選択図】        図３
2006168737.tif 000002
【特許請求の範囲】
【請求項１】
内容器の外側に外容器が配置され、前記内容器と前記外容器との間に断熱空間が形成された容器体において、
前記外容器の周縁を、当該外容器の開口縁より側方に張り出した外容器張出面と、該外容器張出面の外縁より下方に延出した外容器延出面とで構成するとともに、前記内容器の周縁を、当該内容器の開口縁より側方に張り出した内容器張出面と、該内容器張出面の外縁より下方に延出した内容器延出面とで構成し、前記内容器の前記内容器延出面を前記外容器の前記外容器延出面の外側に配置して前記内容器延出面を前記外容器延出面に外嵌した状態で前記内容器と前記外容器とを分離可能に結合する一方、
前記外容器の前記外容器延出面の一部に内側に後退した凹部を形成して該凹部と前記内容器の前記内容器延出面との間に隙間を形成し、該隙間を、前記内容器張出面及び前記外容器張出面間に形成された流通路を介して前記断熱空間に連通したことを特徴とする容器体。
【請求項２】
前記内容器の前記内容器張出面の幅寸法を、前記外容器の前記外容器張出面の幅寸法より小さく設定したことを特徴とする請求項１記載の容器体。
【請求項３】
前記内容器の開口部を閉鎖する蓋体を備え、該蓋体の周縁部に、前記内容器の開口部に内嵌合する内嵌部を形成したことを特徴とする請求項１項又は２項いずれかの項記載の容器体。
【発明の詳細な説明】
【技術分野】
【０００１】
本発明は、例えば食品を収容する容器体に関する。
【背景技術】
【０００２】
従来、食品を冷蔵又は冷凍保存する際には、容器体が使用されていた（例えば、特許文献１）。
【０００３】
この容器体は、内側に配置される内容器と外側に配置される外容器とで構成された二重構造を有しており、前記内容器と前記外容器との間には、密閉された断熱空間が形成されている。
【０００４】
これにより、冷蔵又は冷凍した食品を電子レンジで加熱した場合であっても、前記外容器の底部が熱くならないように工夫されている。
【特許文献１】特開２００２−０３７３３２号公報
【発明の開示】
【発明が解決しようとする課題】
【０００５】
しかしながら、このような容器体にあっては、内容器と外容器間の断熱空間に空気が保持されており、この空気が加熱時に膨張してしまう。すると、容器体が変形するという問題があった。
【０００６】
一方、冷凍したり冷蔵したりする冷却時や、電子レンジで加熱後に室温まで冷却した場合には、内容器と外容器間の断熱空間の空気が収縮し、容器体が変形するという問題があった。
【０００７】
本発明は、このような従来の課題に鑑みてなされたものであり、加熱時や冷却時での不具合を防止することができる容器体を提供することを目的とするものである。
【課題を解決するための手段】
【０００８】
前記課題を解決するために本発明の請求項１の容器体にあっては、内容器の外側に外容器が配置され、前記内容器と前記外容器との間に断熱空間が形成された容器体において、前記外容器の周縁を、当該外容器の開口縁より側方に張り出した外容器張出面と、該外容器張出面の外縁より下方に延出した外容器延出面とで構成するとともに、前記内容器の周縁を、当該内容器の開口縁より側方に張り出した内容器張出面と、該内容器張出面の外縁より下方に延出した内容器延出面とで構成し、前記内容器の前記内容器延出面を前記外容器の前記外容器延出面の外側に配置して前記内容器延出面を前記外容器延出面に外嵌した状態で前記内容器と前記外容器とを分離可能に結合する一方、前記外容器の前記外容器延出面の一部に内側に後退した凹部を形成して該凹部と前記内容器の前記内容器延出面との間に隙間を形成し、該隙間を、前記内容器張出面及び前記外容器張出面間に形成された流通路を介して前記断熱空間に連通した。
【０００９】
すなわち、外容器の周縁に設けられた外容器延出面には、内側に後退する凹部が一部に形成されており、該凹部と前記内容器の前記内容器延出面との間には、隙間が形成されている。そして、前記凹部によって形成された隙間は、前記内容器の内容器張出面及び前記外容器の前記外容器張出面間に形成された流通路を介して、前記内容器と前記外容器間に形成された断熱空間に連通しており、前記凹部で形成された前記隙間と前記流通路とからなる連通路を介して外部に連通する。
【００１０】
このため、当該容器体に収容された食品を電子レンジで加熱して前記断熱空間の空気が膨張した場合、この空気は、前記連通路を介して外部に排出される。一方、容器体冷却時に前記断熱空間内の空気が収縮した際には、外部の空気が前記連通路を介して前記断熱空間に流入する。
【００１１】
また、前記断熱空間を形成する前記内容器と前記外容器とは、分離可能に結合されており、前記内容器の内容器延出面と、該内容器延出面に外嵌する前記外容器の外容器延出面との間には、前記凹部によって隙間が形成されている。このため、この隙間に指を掛ける等することによって、前記外容器からの前記内容器の分離が容易に行われる。
【００１２】
また、請求項２の容器体においては、前記内容器の前記内容器張出面の幅寸法を、前記外容器の前記外容器張出面の幅寸法より小さく設定した。
【００１３】
すなわち、容器体を重ねた際に下段の前記内容器の前記内容器張出面上に配置される上段の外容器の外容器張出面の幅寸法は、前記内容器張出面の幅寸法より大きい。これにより、上段に配置された外容器の周縁部と下段の内容器の周縁部との嵌合が防止される。
【００１４】
さらに、請求項３の容器体では、前記内容器の開口部を閉鎖する蓋体を備え、該蓋体の周縁部に、前記内容器の開口部に内嵌合する内嵌部を形成した。
【００１５】
すなわち、前記内容器と前記外容器とは外嵌合で嵌合し、前記蓋体は、前記内容器に内嵌合する。これにより、嵌合構造の簡素化が図られる。
【００１６】
また、外容器延出面と内容器延出面とが側方に延出するため、蓋体を外す際に、一方の手で外容器延出面と内容器延出面の両方を手で摘み、他方の手で蓋体を取り外すことができる。これにより、前記内容器と前記外容器との嵌合状態を維持しつつ、前記蓋体のみを取り外すことができる。
【発明の効果】
【００１７】
以上説明したように本発明の容器体にあっては、内容器と外容器との間に形成された断熱空間によって加熱時での底部への熱の伝達を防止しつつ、前記断熱空間で膨出した空気を連通路を介して外部に排出することができる。これにより、前記断熱空間内の空気の膨張による変形を防止することができる。
【００１８】
一方、容器体冷却時に前記断熱空間内の空気が収縮した際には、外部の空気を前記連通路を介して前記断熱空間に流入させることができる。これにより、前記断熱空間内の空気の収縮による変形を防止することができる。
【００１９】
また、前記断熱空間を形成する前記内容器と前記外容器とは、分離可能に結合されており、前記内容器の内容器延出面と該内側延出面に外嵌する前記外容器の外容器延出面との間には、前記凹部によって隙間が形成されている。このため、この隙間に指を掛ける等することによって、前記内容器を前記外容器から容易に分離することができる。
【００２０】
これにより、前記断熱空間内に汚れが入り込んだ場合であっても、前記内容器と前記外容器とを分離して清掃することができる。
【００２１】
また、請求項２の容器体においては、容器体を積み重ねた際に、上段に配置された外容器の周縁部と下段の内容器の周縁部との嵌合を防止することができる。これにより、積み重ねられた容器体同士を容易に分離することができる。
【００２２】
さらに、請求項３の容器体では、前記内容器と前記外容器とは外嵌合で嵌合し、前記蓋体は、前記内容器に内嵌合するので、嵌合構造の簡素化を図ることができる。
【００２３】
また、蓋体取り外し時には、一方の手で側方に延出した外容器延出面と内容器延出面を手で摘み、他方の手で蓋体を取り外すことができる。これにより、前記内容器と前記外容器との嵌合状態を維持しつつ、前記蓋体のみを取り外すことができる。
【発明を実施するための最良の形態】
【００２４】
以下、本発明の一の実施の形態を図に従って説明する。図１は、本実施の形態にかかる容器体１を示す図であり、該容器体１は、食品を冷蔵又は冷凍保存する際に使用するものである。
【００２５】
この容器体１は、図２にも示すように、内側に配置された内容器１１と、該内容器１１の外側に配置された外容器１２とからなり、前記内容器１１の開口部を閉鎖する蓋体１３を備えている。
【００２６】
前記外容器１２は、薄肉部材がプレス成形されてなり、底部を構成する長方形状の外容器底面２１と、該外容器底面２１の周縁部より斜め上方へ延出した外容器周壁２２とを備えている。前記外容器底面２１には、内側に突出した長方形状の底部突出部２３が形成されており、該底部突出部２３には、短辺方向に延在する下方へ断面円弧に突出した膨出部２４，・・・が複数並設されている。これにより、当該外容器底面２１には、波形状に形成されている。
【００２７】
前記外容器周壁２２の上縁、すなわち当該外容器１２の開口縁には、外側に張り出した外容器張出面３１が連設されており、該外容器張出面３１の外縁には、下方へ延出する外容器延出面３２が形成されている。該外容器延出面３２の中途部には、外方に延出する外容器段差部３３が形成されており、該外容器段差部３３より下方には、外大径部３４が形成されている。
【００２８】
前記内容器１１も、薄肉部材がプレス成形されてなり、底部を構成する長方形状の内容器底面４１と、該内容器底面４１の周縁部より斜め上方へ延出した内容器周壁４２とを備えている。前記内容器底面４１は、平坦に形成されており、前記外容器１２の内側に配置した状態で、該外容器１２の底部突出部２３に当接した状態で支持されている。
【００２９】
前記内容器周壁４２の上縁部には、外側に延出した内容器内段差部５１が形成されており、該内容器内段差部５１より上方には、内大径部５２が形成されている。該内大径部５２の上縁、すなわち前記内容器１１の開口縁には、外側に張り出した内容器張出面５３が連設されており、この内容器張出面５３の幅寸法ｈ１は、前記外容器１２の前記外容器張出面３１の幅寸法ｈ２より小さく設定されている（図３参照）。
【００３０】
また、前記内容器張出面５３の外縁には、下方へ延出する内容器延出面５４が形成されている。該内容器延出面５４の中途部には、外方に延出する内容器外段差部５５が形成されており、該内容器外段差部５５が前記外容器１２の前記外容器張出面３１に当接した状態で支持されるように構成されている。
【００３１】
この内容器外段差部５５より下方には、内容器外大径部６１が形成されており、該内容器外大径部６１は、前記外容器１２の前記外容器延出面３２の外側に配置された状態で、該外容器延出面３２に外嵌するように構成されている。これにより、当該内容器１１と前記外容器１２とを分離可能に結合する外嵌合構造が形成されており、前記内容器１１の外側に前記外容器１２を配置して結合した状態で、前記内容器１１と前記外容器１２との間に断熱空間６２を形成できるように構成されている。
【００３２】
前記内容器１１の前記内容器外大径部６１には、内側へ突出した係合条７１が全周に渡って形成されており、前記外容器１２の前記外容器延出面３２には、内側に後退した係合溝７２が全周に渡って形成されている。前記内容器１１の前記係止条７１は、前記外容器１２の前記係止溝７２に収容されるように構成されており、前記係止条７１が前記係止溝７２に収容された状態で前記外容器１２と前記内容器１１との不用意な離脱が防止されるように構成されている。
【００３３】
前記外容器１２の角部には、図１及び図３に示したように、前記外容器延出面３２の一部が内側に後退してなる凹部８１が形成されており、該凹部８１と前記内容器１１の前記内容器延出面５４との間には、隙間８２が形成されている。この隙間８２は、前記内容器１１の前記内容器張出面５３と前記外容器１２の前記外容器張出面３１間に形成された間隙８３及び前記外容器張出面３１を横断する流通路である溝３１ａを介して、前記断熱空間６２に連通しており、該断熱空間６２と外部との間には、連通路８４が形成されている。なお、前記溝３１ａは、外容器１２の角部に形成されているが、他の場所に形成しても良い。
【００３４】
そして、前記蓋体１３も、薄肉部材がプレス成形されてなり、図２に示したように、前記内容器１１の前記内容器内段差部５１に載置される平坦な載置面９１の内側には、上方に膨出した蓋膨出部９２が形成されている。該蓋膨出部９２の天部には、長方形状の蓋凹部９３が形成されれており、該蓋凹部９３の底部には、平坦な平坦面９４が形成されている。これにより、この蓋体１３上に他の容器体１を積層した際には、外容器底面１２に形成された各膨出部２４，・・・が前記蓋凹部９３内に収容されるように構成されており、各膨出部２４，・・・が前記蓋凹部９３の平坦面９４に線接触するように構成されている。
【００３５】
前記蓋体１３の載置面９１の縁部からは、内嵌部としての起立壁１０１が起立しており、該起立壁１０１は、前記内容器１１の前記内大径部５２の内側に配置された状態で、該内大径部５２に内嵌するように構成されている。これにより、前記蓋体１３の周縁部には、前記内容器１１の開口部に内嵌合する内嵌構造が構成されている。前記起立壁１０１の上縁からは、外側に張り出す蓋張出面１０２が延出しており、該蓋張出面１０２は、前記内容器１１の前記内容器張出面５３に沿って延在するように構成されている。
【００３６】
以上の構成にかかる本実施の形態において、前記外容器１２の周縁に設けられた外容器延出面３２には、内側に後退する凹部８１が角部に形成されており、該凹部８１と前記内容器１１の前記内容器延出面５４との間には、隙間８２が形成されている。そして、前記凹部８１によって形成された隙間８２は、前記内容器１１の内容器張出面５３及び前記外容器１２の前記外容器張出面３１間に形成された間隙８３及び前記外容器張出面３１を横断する溝３１ａを介して、前記内容器１１と前記外容器１２間に形成された断熱空間６２に連通しており、前記凹部８１で形成された前記隙間８２と、前記間隙８３及び前記溝３１ａとで構成された連通路８４を介して外部に連通する。
【００３７】
このため、当該容器体１の内容器１１に収容された食品を電子レンジで加熱する際に前記断熱空間６２の空気が膨張した場合であっても、この空気を、前記連通路８４を介して外部に排出することができる。一方、容器体１冷却時に前記断熱空間６２内の空気が収縮した際には、外部の空気を前記連通路８４を介して前記断熱空間６２に流入させることができる。
【００３８】
このように、前記内容器１１と外容器１２との間に形成された断熱空間６２によって加熱時における底部への熱の伝達を防止しつつ、前記断熱空間６２で膨出した空気を前記連通路８４を介して外部に排出することができる。一方、前記断熱空間６２内の空気が収縮する冷却時には、外部の空気を前記連通路８４を介して前記断熱空間６２に流入させることができる。したがって、前記断熱空間６２内の空気の膨張及び収縮による容器体１の変形を防止することができる。
【００３９】
また、前記断熱空間６２を形成する前記内容器１１と前記外容器１２とは、分離可能に結合されており、前記内容器１１の内容器延出面５４と、該内容器延出面５４に外嵌する前記外容器１２の外容器延出面３２との間には、前記凹部８１によって隙間８２が形成されている。このため、この隙間８２に指を掛ける等することによって、前記内容器１１を前記外容器１２から容易に分離することができる。
【００４０】
これにより、前記断熱空間６２内に汚れが入り込んだ場合であっても、前記内容器１１と前記外容器１２とを分離して清掃することができる。
【００４１】
そして、前記内容器１１と前記外容器１２とは外嵌合で嵌合しており、前記蓋体１３は、前記内容器１１に内嵌合するように構成されている。これにより、前記内容器１１と前記外容器１２と前記蓋体１３の嵌合構造の簡素化を図ることができる。
【００４２】
また、前記容器体１では、外容器延出面３２と内容器延出面５４とが側方に延出しており、前記蓋体１３を外す際には、一方の手で外容器延出面３２と内容器延出面５４の両方を手で摘み、他方の手で前記蓋体１３を取り外すことができる。これにより、前記内容器１１と前記外容器１２との嵌合状態を維持しつつ、前記蓋体１３のみを取り外すことができる。
【００４３】
一方、販売時や収納時には、前記容器体１から蓋体１３を分離するとともに、複数の容器体１，・・・を重ねて収容する場合がある。このとき、下段の前記内容器１１の前記内容器張出面５３上に配置される上段の外容器１２の外容器張出面３１の幅寸法ｈ２は、前記内容器張出面５３の幅寸法ｈ１より大きい。このため、上段の外容器１２の周縁部と下段の内容器１１の周縁部との嵌合を防止することができる。これにより、積み重ねられた容器体１，１同士を容易に分離することができ、利便性が向上する。
【００４４】
なお、本実施の形態では、長方形状に形成された容器体１を例に挙げて説明したが、これに限定されるもので無く、例えば円形状の容器体であっても良い。
【図面の簡単な説明】
【００４５】
【図１】本発明の一実施の形態を示す平面図である。
【図２】図１のＡ−Ａ線に沿った断面図である。
【図３】図１のＢ−Ｂ線に沿った断面図である。
【符号の説明】
【００４６】
１    容器体
１１    内容器
１２    外容器
１３    蓋体
３１    外容器張出面
３２    外容器延出面
５３    外容器張出面
５４    外容器延出面
６２    断熱空間
８１    凹部
８２    隙間
８３    間隙
【図１】
2006168737.tif 000003
【図２】
2006168737.tif 000004
【図３】
2006168737.tif 000005